(57)【要約】      （修正有）【課題】ドアおよび保護装置の寿命を延長させることができるドアを提供する。【解決手段】組み込み型保護装置を備えたドアはドアパネルおよびドア枠を含み、ドアパネルおよびドア枠は蝶番またはヒンジ８により接続される。ドアはさらに弾性薄板６および／または弾性柱を含み、弾性薄板６および／または弾性柱の一端は立枠２１の内側と接続される。ドアパネル内にさらに合板Ｉ４１および合板ＩＩ４２を含み、合板Ｉ４１および合板ＩＩ４２とドア枠の内側とが固定接続されて中空領域を構成し、中空領域は弾性薄板６および／または弾性柱と互いに適合する。中空領域はさらに開口および底部を含み、開口および底部はドアパネル内の異なる側に位置する。弾性薄板６および／または弾性柱は、開口から中空領域内に延伸する。【選択図】図４
0003202004.tif 000002
【実用新案登録請求の範囲】
【請求項１】
ドアパネルおよびドア枠を含み、前記ドアパネルおよびドア枠が蝶番またはヒンジにより接続される組み込み型保護装置を備えたドアであって、前記ドアがさらに弾性薄板および／または弾性柱を含み、前記弾性薄板および／または弾性柱の一端は立枠の内側と固定接続され、前記ドアパネル内にさらに合板Ｉおよび合板ＩＩを含み、前記合板Ｉおよび合板ＩＩとドア枠の内側とが固定接続されて中空領域を構成し、前記中空領域は前記弾性薄板および／または弾性柱と互いに適合し、前記中空領域がさらに開口および底部を含み、前記開口および底部がドアパネル内の異なる側に位置し、前記弾性薄板および／または弾性柱が前記開口から中空領域内に延伸することを特徴とする、ドア。
【請求項２】
前記ドアがさらに軸受を含み、前記軸受の内輪が固定装置により合板Ｉに固定され、前記固定装置にボルトが含まれることを特徴とする、請求項１に記載のドア。
【請求項３】
前記軸受から前記開口までの距離が０〜２５ｃｍであることを特徴とする、請求項２に記載のドア。
【請求項４】
前記軸受が少なくとも１個であることを特徴とする、請求項３に記載のドア。
【請求項５】
前記軸受が１個であり、前記軸受から合板Ｉの頂部までの距離と、合板Ｉの底部までの距離との差が０〜８ｃｍであることを特徴とする、請求項４に記載のドア。
【請求項６】
前記ドアが軸受Ｉおよび軸受ＩＩを含み、このうち軸受Ｉは合板Ｉの頂部に位置し、軸受ＩＩは軸受Ｉのちょうど下側に位置することを特徴とする、請求項４に記載のドア。
【請求項７】
合板Ｉおよび／または合板ＩＩとドア面パネルとの間に空洞を有することを特徴とする、請求項６に記載のドア。
【請求項８】
前記空洞内に充填材が充填されることを特徴とする、請求項７に記載のドア。
【請求項９】
前記合板Ｉおよび合板ＩＩの向かい合う２つの面が滑らかな面であることを特徴とする、請求項１に記載のドア。
【考案の詳細な説明】
【技術分野】
【０００１】
本考案は建築物、乗り物、フェンスまたは類似の囲いにおける開口部分のための固定式または可動式閉鎖装置に属し、特に組み込み型保護装置を備えたドアに関する。
【背景技術】
【０００２】
ドアを開くと、外力およびそれ自体の重力の作用により、自発的にヒンジで回転し、勝手に閉まることがよくあり、この問題は人々の生活に不便さをもたらしている。この問題を解決するため、保護装置が設計されており、ドアを開けた後、ドアを特定の位置に固定するのに便利である。
【０００３】
しかし、既存の保護装置はいずれも外付けタイプで、ドアパネルの頂部に位置し、力を受けて平衡がとれなくなる欠陥が存在する。これにより、ドアの構造に容易に影響を及ぼし、ドアの寿命が短くなる。この他、保護装置の構造の特殊性のため、その耐久性は劣っている。
【考案の概要】
【考案が解決しようとする課題】
【０００４】
本考案が解決しようとする問題は、ドアおよび保護装置の寿命を延長させるために、組み込み型保護装置を備えたドアを提供することである。
【課題を解決するための手段】
【０００５】
上記問題を解決するため、本考案が提供する技術案は以下の通りである。
【０００６】
組み込み型保護装置を備えたドアはドアパネルおよびドア枠を含み、前記ドアパネルおよびドア枠は蝶番またはヒンジにより接続される。前記ドアはさらに弾性薄板および／または弾性柱を含み、前記弾性薄板および／または弾性柱の一端は立枠の内側と固定接続される。前記ドアパネル内にさらに合板Ｉおよび合板ＩＩを含み、前記合板Ｉおよび合板ＩＩとドア枠の内側とが固定接続されて中空領域を構成し、前記中空領域は前記弾性薄板および／または弾性柱と互いに適合する。前記中空領域はさらに開口および底部を含み、前記開口および底部はドアパネル内の異なる側に位置する。前記弾性薄板および／または弾性柱は、前記開口から中空領域内に延伸する。
【０００７】
任意で、前記ドアはさらに軸受を含み、前記軸受の内輪は固定装置により合板Ｉに固定される。前記固定装置にボルトが含まれる。
【０００８】
任意で、前記軸受から前記開口までの距離は０〜２５ｃｍである。
【０００９】
任意で、前記軸受は少なくとも１個である。
【００１０】
任意で、前記軸受は１個であり、前記軸受から合板Ｉの頂部までの距離と、合板Ｉの底部までの距離との差は０〜８ｃｍである。
【００１１】
任意で、前記ドアは軸受Ｉおよび軸受ＩＩを含み、このうち軸受Ｉは合板Ｉの頂部に位置し、軸受ＩＩは軸受Ｉのちょうど下側に位置する。
【００１２】
任意で、合板Ｉおよび／または合板ＩＩとドア面パネルとの間に空洞を有する。
【００１３】
任意で、前記空洞内に充填材が充填される。
【００１４】
任意で、前記合板Ｉおよび合板ＩＩの向かい合う２つの面は滑らかな面である。
【考案の効果】
【００１５】
本考案の技術的効果は次の通りである。１．弾性薄板および／または弾性柱はドアパネルとドア枠との間の隙間を埋めることができ、前記隙間に手の指が挟まれ、予想外のけがをするのを防止する。特に子供または行動が不自由な老人が挟んでけがをしないように防止する面で非常に良好な効果を有する。さらに、挟んでけがをするのを防止するのと同時に、ドアの使用にも影響を及ぼさず、その技術的効果は極めて明らかである。２．保護装置をドア内に組み込み、保護装置およびドアが力を受けて平衡がとれなくなるのを解消し、使用寿命を延長させる。３．保護装置をドア内に組み込み、外部とドアの隙間に保護装置を取り付けるときに生じる可能性がある隙間を解消した。４．合板Ｉおよび合板ＩＩが形成する中空領域は案内作用を示すため、摩擦を減少させ、ドアを開けるのが便利である。５．合板に軸受を追加し、摩擦力を減少させる。弾性薄板および／または弾性柱を挿入するのが便利であり、摩耗を防止し、使用が便利である。
【図面の簡単な説明】
【００１６】
本考案の内容をよりはっきりと、完全に説明するために、以下に本考案の構想を最も説明することができる図をいくつか提供する。当然、提供する図は本考案の構想を説明することを目的としており、本考案の設計案の全てではなく、本考案の設計の内容を制限すると見なすべきではない。提供する図の啓示の下で行う案は、いずれも本考案の保護範囲に属する。
【００１７】
【図１】図１は、ドア、ドア枠、壁体の構造概要図である。
【図２】図２は、ドア枠のＡ−Ａ断面図である。
【図３】図３は、ドアを開いた後のＡ−Ａ断面図である。
【図４】図４は、ドアおよびドア枠の立体構造図である。
【図５】図５は、２個の軸受を備えたドアの断面図である。
【図６】図６は、１個の軸受を備えたドアの断面図である。
【図７】図７は、Ａ−Ａ断面図の部分拡大図である。
【考案を実施するための形態】
【００１８】
本考案の内容をよりはっきりと、完全に説明するために、以下に本考案の構想を最も説明することができる図をいくつか提供する。当然、提供する図は本考案の構想を説明することを目的としており、本考案の設計案の全てではなく、本考案の設計の内容を制限すると見なすべきではない。提供する図の啓示の下で行う案は、いずれも本考案の保護範囲に属する。
【実施例１】
【００１９】
図１、図２、図３、図４、図７に示すように、組み込み型保護装置を備えたドアはドアパネル１およびドア枠２を含み、前記ドアパネルおよびドア枠は蝶番またはヒンジ８により接続される。前記ドアはさらに弾性薄板６を含み、この弾性薄板を弾性柱に換えることもでき、弾性薄板も弾性柱も含むこともでき、すなわち、２個またはそれ以上含む。前記弾性薄板および／または弾性柱の一端は、立枠２１の内側と固定接続される。前記ドアパネル内にさらに合板Ｉ４１および合板ＩＩ４２を含み、前記合板Ｉおよび合板ＩＩとドア枠の内側とが固定接続されて中空領域５１を構成し、前記中空領域５１は前記弾性薄板６および／または弾性柱と互いに適合する。前記中空領域はさらに開口５２および底部５３を含み、前記開口および底部はドアパネル内の異なる側に位置し、すなわち一定の湾曲を有する。ドアの横断面の４つの角をＡＢＣＤと仮定し、弾性薄板に近い点をＡとし、その他の３個の点を時計回りに順番にＢ、Ｃ、Ｄとする。開口および底部がドアパネル内の異なる側に位置する意味は重要であり、ドアパネルの底部５３はＤ部分に位置するか、または線は無いがＤ部分に向かって延伸する。前記弾性薄板および／または弾性柱は前記開口から中空領域内に延伸し、使用するとき、ドア枠２は壁体３に固定される。
【００２０】
弾性薄板と合板との間の摩擦力を小さくするため、前記ドアはさらに軸受７を含み、前記軸受の内輪は固定装置により合板Ｉに固定される。前記固定装置にボルトが含まれる。軸受の内輪を柱体に固定してから、柱体の一端を合板Ｉに固定してもよい。
【００２１】
軸受がより良好に摩擦を小さくするため、前記軸受から前記開口の距離は０〜２５ｃｍである。
【００２２】
前記軸受は少なくとも１個である。前記軸受が１個であるとき、図６に示すように、前記軸受７２は合板Ｉの中間に位置する。当然、ちょうど中間でよく、ちょうど中間付近の領域でもよい。軸受から合板Ｉの頂部までの距離と、合板Ｉの底部までの距離との差が０〜８ｃｍであるとき、摩擦力を効果的に小さくすることができる。
【００２３】
図５に示すように、軸受が２個以上のとき、すなわち軸受Ｉ７および軸受ＩＩ７１を含むとき、軸受Ｉ７は合板Ｉの頂部に位置し、軸受ＩＩ７１は軸受Ｉのちょうど下側に位置する。軸受ＩＩ７１は弾性薄板６および／または弾性柱の底部でよく、その中間部位でもよい。
【００２４】
ドアパネルの重量を軽減するため、合板Ｉおよび／または合板ＩＩとドア面パネルとの間に空洞９を有する。
【００２５】
ドアの開閉時に騒音が生じるのを減少させるため、前記空洞内に充填材を充填することができる。
【００２６】
使用を便利にするため、弾性薄板６と合板との間の摩擦力を減少させるために、前記合板Ｉおよび合板ＩＩの向かう合う２つの面は滑らかな面である。
【図１】
0003202004.tif 000003
【図２】
0003202004.tif 000004
【図３】
0003202004.tif 000005
【図４】
0003202004.tif 000006
【図５】
0003202004.tif 000007
【図６】
0003202004.tif 000008
【図７】
0003202004.tif 000009